(57)【要約】  本発明の実施形態は、アクセスポイントハンドオーバ方法及び装置を提供する。方法は、現在接続されているアクセスポイントが伝送条件を満たすことができないことを、端末が検知するステップと、現在接続されているアクセスポイントと部分的に同じ名前を有するアクセスポイントに、伝送条件を満たす少なくとも１つのアクセスポイントが存在することを見つけるステップと、伝送条件を満たす少なくとも１つのアクセスポイントのうちの１つへの接続を、端末が確立するステップと、を含む。
2018533886.tif 000002
【特許請求の範囲】
【請求項１】
アクセスポイントハンドオーバ方法であって、前記方法は、
現在接続されているアクセスポイントが伝送条件を満たすことができないことを、端末が検知するステップと、
前記現在接続されているアクセスポイントに関連付けられたアクセスポイントに、前記伝送条件を満たす少なくとも１つのアクセスポイントが存在することを、前記端末が見つけるステップと、
前記伝送条件を満たす少なくとも１つのアクセスポイントのうちの１つへの接続を、前記端末が確立するステップと、
を具備することを特徴とするアクセスポイントハンドオーバ方法。
【請求項２】
前記伝送条件は、以下：
前記端末により受信された信号の強度が、第１しきい値より大きいこと、
前記端末が、受信されたデータのパケットロス率が第２しきい値より小さいことを検出すること、
前記端末により伝送されたデータの往復遅延が、第３しきい値より小さいこと、
前記端末のダウンロード速度又はアップロード速度が、第４しきい値より小さいこと、
の内の少なくとも１つを具備することを特徴とする請求項１に記載の方法。
【請求項３】
前記伝送条件を満たす１つのアクセスポイントが存在する場合、前記伝送条件を満たす少なくとも１つのアクセスポイントのうちの１つへの接続を、前記端末が確立する前記ステップの前に、前記方法は、
前記端末により、前記現在接続されているアクセスポイントの接続を切断するステップ
をさらに具備することを特徴とする請求項１又は２に記載の方法。
【請求項４】
前記伝送条件を満たす少なくとも２つのアクセスポイントが存在する場合、前記伝送条件を満たす少なくとも１つのアクセスポイントのうちの１つへの接続を、前記端末が確立する前記ステップの後に、前記方法は、
前記端末により、前記現在接続されているアクセスポイントの接続を切断するステップ
をさらに具備することを特徴とする請求項１又は２に記載の方法。
【請求項５】
前記現在接続されているアクセスポイントに関連する前記アクセスポイントは、前記現在接続されているアクセスポイントと部分的に同じ名前を有するアクセスポイントであることを特徴とする請求項１から４のいずれか一項に記載の方法。
【請求項６】
端末であって、前記端末は、
アクセスポイントと通信するように構成されている通信インターフェースと、
現在接続されているアクセスポイントが伝送条件を満たすことができないことを検知し、前記現在接続されているアクセスポイントに関連付けられたアクセスポイントに、前記伝送条件を満たす少なくとも１つのアクセスポイントが存在することを見つけ、前記伝送条件を満たす少なくとも１つのアクセスポイントのうちの１つへの接続を確立するように構成されているプロセッサと、
を具備することを特徴とする端末。
【請求項７】
前記伝送条件は、以下：
前記端末により受信された信号の強度が、第１しきい値より大きいこと、
前記端末が、受信されたデータのパケットロス率が第２しきい値より小さいことを検出すること、
前記端末により伝送されたデータの往復遅延が、第３しきい値より小さいこと、
前記端末のダウンロード速度又はアップロード速度が、第４しきい値より小さいこと、
の内の少なくとも１つを具備することを特徴とする請求項６に記載の端末。
【請求項８】
前記伝送条件を満たす１つのアクセスポイントが存在する場合、前記プロセッサが、前記伝送条件を満たす少なくとも１つのアクセスポイントのうちの１つへの前記接続を確立する前に、以下の：
前記プロセッサは、前記現在接続されているアクセスポイントの接続を切断すること
をさらに具備することを特徴とする請求項６又は７に記載の端末。
【請求項９】
前記伝送条件を満たす少なくとも２つのアクセスポイントが存在する場合、前記プロセッサが、前記伝送条件を満たす少なくとも１つのアクセスポイントのうちの１つへの前記接続を確立した後に、以下の：
前記プロセッサは、前記現在接続されているアクセスポイントの接続を切断すること
をさらに具備することを特徴とする請求項６又は７に記載の端末。
【請求項１０】
前記現在接続されているアクセスポイントに関連する前記アクセスポイントは、前記現在接続されているアクセスポイントと部分的に同じ名前を有するアクセスポイントであることを特徴とする請求項６から９のいずれか一項に記載の端末。
【発明の詳細な説明】
【技術分野】
【０００１】
本発明は、通信分野に関し、特に、ネットワークハンドオーバ方法及び装置に関する。
【背景技術】
【０００２】
ホームブロードバンドの普及と５Ｇ（fifth generation、第５世代）技術にむけたルータの開発により、家庭ユーザはデュアルバンドルータまたは２台のルータを使用してネットワーキングを行うことが一般的になりつつある。たとえば、以下のような使用されるシナリオがある。
【０００３】
５Ｇ帯域は、干渉が小さく、２．４Ｇネットワークよりも優れたサーフィング経験（surfing experience）を提供する。２．４Ｇ／５Ｇデュアルバンドルータは、通常２．４Ｇホットスポットと５Ｇホットスポットの両方をサポートする。この場合において起こりがちな問題は以下のとおりである。２．４Ｇルータの名前がＡＰ(Access Point, アクセスポイント)＿２．４Ｇで、５Ｇルータの名前がＡＰ＿５Ｇと仮定する。ユーザは、５Ｇ信号を好んで使用する。５Ｇネットワークのカバレージは小さい。ユーザが遠くに移動した後、たとえ５Ｇ信号が微弱であっても、５Ｇネットワークは依然として接続されており、端末は５Ｇネットワークを依然として検出できるため、その端末は手動で２．４Ｇネットワークにハンドオーバしない限り、２．４Ｇネットワークへハンドオーバすることができない。これは、ユーザのサーフィング経験を非常に悪くする。
【発明の概要】
【課題を解決するための手段】
【０００４】
本発明の実施形態は、アクセスされるネットワークを自動的に選択することにより、ユーザのサーフィング経験を保証するネットワークハンドオーバ方法及び装置を提供する。
【０００５】
上述の目的を達成するために、本発明の実施形態では以下の技術的解決策が使用される。
【０００６】
第１の態様によると、本発明の実施形態は、アクセスポイントハンドオーバ方法を提供する。前記方法は、現在接続されているアクセスポイントが伝送条件を満たすことができないことを、端末が検知するステップと、前記現在接続されているアクセスポイントと部分的に同じ名前を有するアクセスポイントに、前記伝送条件を満たす少なくとも１つのアクセスポイントが存在することを、前記端末が見つけるステップと、前記伝送条件を満たす少なくとも１つのアクセスポイントのうちの１つへの接続を、前記端末が確立するステップと、を含む。
【０００７】
第１の態様の第１の可能な実施形態において、前記伝送条件は、以下の：前記端末により受信された信号の強度が、第１しきい値より大きいこと、前記端末が、受信されたデータのパケットロス率が第２しきい値より小さいことを検出すること、前記端末により伝送されたデータの往復遅延が、第３しきい値より小さいこと、前記端末のダウンロード速度又はアップロード速度が、第４しきい値より小さいこと、の少なくとも1つを含む。
【０００８】
第１の態様又は第１の態様の第１の可能な実施形態に関連し、第２の可能な実施形態において、前記伝送条件を満たす１つのアクセスポイントが存在する場合、前記伝送条件を満たす少なくとも１つのアクセスポイントのうちの１つへの接続を、前記端末が確立する前記ステップの前に、前記方法は、前記端末により、前記現在接続されているアクセスポイントの接続を切断するステップをさらに含む。
【０００９】
第１の態様又は第１の態様の第１の可能な実施形態に関連し、第３の可能な実施形態において、前記伝送条件を満たす少なくとも２つのアクセスポイントが存在する場合、前記伝送条件を満たす少なくとも１つのアクセスポイントのうちの１つへの接続を、前記端末が確立する前記ステップの後に、前記方法は、前記端末により、前記現在接続されているアクセスポイントの接続を切断するステップをさらに含む。
【００１０】
第２の態様によると、本発明の実施形態は、端末を提供する。前記端末は、アクセスポイントと通信するように構成されている通信インターフェースと、現在接続されているアクセスポイントが伝送条件を満たすことができないことを検知し、前記現在接続されているアクセスポイントに関連付けられたアクセスポイントに、前記伝送条件を満たす少なくとも１つのアクセスポイントが存在することを見つけ、前記伝送条件を満たす少なくとも１つのアクセスポイントのうちの１つへの接続を確立するように構成されているプロセッサと、を含む。前記現在接続されているアクセスポイントに関連付けられている前記少なくとも１つのアクセスポイントは、前記現在接続されているアクセスポイントと部分的に同じ名前を有している。
【００１１】
第２の態様の第１の可能な実施形態において、前記伝送条件は、以下の：前記端末により受信された信号の強度が、第１しきい値より大きいこと、前記端末が、受信されたデータのパケットロス率が第２しきい値より小さいことを検出すること、前記端末により伝送されたデータの往復遅延が、第３しきい値より小さいこと、前記端末のダウンロード速度又はアップロード速度が、第４しきい値より小さいこと、の内の少なくとも１つを含む。
【００１２】
第２の態様又は第２の態様の第１の可能な実施形態に関連し、第２の可能な実施形態において、前記伝送条件を満たす１つのアクセスポイントが存在する場合、前記プロセッサが、前記伝送条件を満たす少なくとも１つのアクセスポイントのうちの１つへの前記接続を確立する前に、以下の：前記プロセッサは、前記現在接続されているアクセスポイントの接続を切断することがさらに含まれる。
【００１３】
第２の態様又は第２の態様の第１の可能な実施形態に関連し、第３の可能な実施形態において、前記伝送条件を満たす少なくとも２つのアクセスポイントが存在する場合、前記プロセッサが、前記伝送条件を満たす少なくとも１つのアクセスポイントのうちの１つへの前記接続を確立した後に、以下の：前記プロセッサは、前記現在接続されているアクセスポイントの接続を切断することがさらに含まれる。
【００１４】
本発明の実施形態において提供されるネットワークハンドオーバ方法及び装置によれば、前記現在接続されているアクセスポイントが前記伝送条件を満たすことができない場合、前記現在接続されているアクセスポイントと部分的に同じ名前を有するアクセスポイントにおいて前記伝送条件を満たしているアクセスポイントが検索され、見つかった前記アクセスポイントと接続が確立され、これにより異なるアクセスポイント間の自動的なハンドオーバを実現し、ユーザのサーフィング経験を保証する。
【００１５】
本発明の実施形態におけるまたは従来技術における技術的解決策をより明確に説明するために、以下で実施形態を説明するために必要な添付の図面又は従来技術について簡単に説明する。以下の説明における添付の図面は、本発明のいくつかの実施形態を示すに過ぎず、それでもなお、当業者が創造的な努力なしにこれらの添付の図面から他の図面を得ることができることは明らかである。
【図面の簡単な説明】
【００１６】
【図１】図１は、本発明の実施形態よるアクセスポイントハンドオーバ方法のフローチャートである。
【図２】図２は、本発明の実施形態による端末の構成構造図である。
【発明を実施するための形態】
【００１７】
本発明の実施形態の目的、技術的解決策、および利点をより明瞭にするために、以下では、本発明の実施形態における添付図面を参照して本発明の実施形態における技術的解決策を明瞭かつ完全に説明する。説明される実施形態は、本発明の実施形態のすべてではなく、単にいくつかの実施形態を示すものにすぎないことは明らかである。本発明の実施形態に基づき当業者が創造的な取り組み無しに得られる他のすべての実施形態は、本発明の保護範囲に含まれるものとする。
【００１８】
本発明の第１の実施形態は、システムを提供する。このシステムは、少なくとも１つの端末と少なくとも２つのアクセスポイントとを含む。このシステムは、短距離通信に適用可能である。本明細書における近距離通信は、数十メートル以内の通信であり得る。以下では、そのシステムを詳細に説明する。
【００１９】
システムに含まれる端末は、少なくとも２つのアクセスポイントの１つに接続される。図２に示されているように、端末は、アクセスポイントと通信するように構成された通信インターフェース２０１と、現在接続されているアクセスポイントが伝送条件を満たすことができないことを検知し、現在接続されているアクセスポイントに関連付けられたアクセスポイントに、伝送条件を満たす少なくとも１つのアクセスポイントが存在することを見つけ、伝送条件を満たす少なくとも１つのアクセスポイントのうちの１つへの接続を確立するように構成されたプロセッサ２０２と、を含む。現在接続されているアクセスポイントに関連付けられている少なくとも１つのアクセスポイントは、現在接続されているアクセスポイントと部分的に同じ名前を有している。
【００２０】
このようにして、端末は、現在接続されているアクセスポイントと、現在接続されているアクセスポイントに関連するアクセスポイントとの間のハンドオーバを実行することができる。したがって、ユーザは、手動でハンドオーバを行う必要がなく、これによりユーザのサーフィング経験を保証する。
【００２１】
伝送条件は、以下の少なくとも1つを含む。
【００２２】
１：端末により受信された信号の強度が、第１しきい値より大きい。第１しきい値は、-７５ｄｂ(decibel, デシベル)であり得る。
【００２３】
２：端末が、受信されたデータのパケットロス率が第２しきい値より小さいことを検出する。第２しきい値は、１０％であり得る。
【００２４】
３：端末により伝送されたデータの往復遅延が、第３しきい値より小さい。第３しきい値は、１００ｍｓ(millisecond, ミリセカンド)であり得る。
【００２５】
４：端末のダウンロード速度又はアップロード速度が、第４しきい値より小さい。第４しきい値は、１０ｋｂｐｓ(kilobyte per second, キロバイトパーセカンド)であり得る。
【００２６】
伝送条件を満たす１つのアクセスポイントが存在する場合、伝送条件を満たす少なくとも１つのアクセスポイントのうちの１つへの接続を確立することに加えて、プロセッサは、現在接続されているアクセスポイントへの接続を切断するようにさらに構成されている。
【００２７】
伝送条件を満たす少なくとも２つのアクセスポイントが存在する場合、伝送条件を満たす少なくとも１つのアクセスポイントのうちの１つへの接続を確立することに加えて、プロセッサは、現在接続されているアクセスポイントへの接続を端末が切断するようにさらに構成されている。
【００２８】
伝送条件を満たす少なくとも２つのアクセスポイントが存在する場合、伝送条件を満たす少なくとも２つのアクセスポイントを見つけた後に、プロセッサは、少なくとも２つのアクセスポイントへの接続をまず確立し、少なくとも２つのアクセスポイントの１つへの接続を決定し、端末に接続されている別のアクセスポイントとの接続を切断する。
【００２９】
少なくとも２つのアクセスポイント内でプロセッサが接続すべきアクセスポイントを決定するためにプロセッサにより使用される基礎は、前述の伝送条件の１つ又は複数が満たされることである。
【００３０】
現在接続されているアクセスポイントに関連付けられている少なくとも１つのアクセスポイントが、現在接続されているアクセスポイントの名前と部分的に同じ名前を有することは、現在接続されているアクセスポイントに関連付けられている少なくとも１つのアクセスポイントは、現在接続されているアクセスポイントの名前と同じプリフィックスがつけられた名前を有することを含む。例えば、xxx_5Gとxxx_24Gは関連付けられたアクセスポイントであり、この２つのアクセスポイントの名前の同じ部分xxx_は、２つのアクセスポイントの名前のプリフィックスである。当然、アクセスポイントの名前が部分的に同じであるということは、２つのアクセスポイントの名前のサフィックスが同じであること、又は２つのアクセスポイントの名前の任意の部分が同じであること、を意味してもよい。
【００３１】
現在接続されているアクセスポイントに関連付けられている少なくとも１つのアクセスポイントは、あらかじめ関連付けられたアクセスポイントであってもよい。例えば、ユーザは、ルータ１及びルータ２を、端末の関連するアクセスポイントとして設定してもよい。
【００３２】
システムは、アクセスポイントをさらに含む。アクセスポイントは、端末と通信するように構成されている通信インターフェースと、端末との接続を確立するように構成されているプロセッサと、を含む。
【００３３】
本発明の第２の実施形態は、アクセスポイントハンドオーバ方法を提供する。図１に示されているように、方法は以下のステップを含む。
【００３４】
ステップ１０１：端末が、現在接続されているアクセスポイントが伝送条件を満たすことができないことを検知する。
【００３５】
ステップ１０２：端末が、現在接続されているアクセスポイントに関連付けられたアクセスポイントに、伝送条件を満たす少なくとも１つのアクセスポイントが存在することを見つける。
【００３６】
ステップ１０３：端末が、伝送条件を満たす少なくとも１つのアクセスポイントのうちの１つへの接続を確立する。
【００３７】
現在接続されているアクセスポイントに関連付けられている少なくとも１つのアクセスポイントは、現在接続されているアクセスポイントの名前と部分的に同じ名前を有する。
【００３８】
このようにして、端末は、現在接続されているアクセスポイントと、現在接続されているアクセスポイントに関連するアクセスポイントとの間のハンドオーバを実行することができる。したがって、ユーザは、手動でハンドオーバを行う必要がなく、これによりユーザのサーフィング経験を保証する。
【００３９】
伝送条件は、第１の実施形態における伝送条件の少なくとも１つを含み、詳細はここでは説明しない。
【００４０】
伝送条件を満たす１つのアクセスポイントが存在する場合、端末が、伝送条件を満たす少なくとも１つのアクセスポイントのうちの１つへの接続を確立するステップの前に、方法は、端末が、現在接続されているアクセスポイントへの接続を切断するステップをさらに具備する。
【００４１】
伝送条件を満たす少なくとも２つのアクセスポイントが存在する場合、端末により、伝送条件を満たす少なくとも１つのアクセスポイントのうちの１つへの接続を確立するステップの後に、方法は、端末により、現在接続されているアクセスポイントへの接続を切断するステップをさらに含む。
【００４２】
伝送条件を満たす少なくとも２つのアクセスポイントが存在する場合、伝送条件を満たす少なくとも２つのアクセスポイントを見つけた後に、端末は、少なくとも２つのアクセスポイントへの接続をまず確立し、少なくとも２つのアクセスポイントの１つへの接続を決定し、その後、端末へ接続されている別のアクセスポイントへの接続を切断する。
【００４３】
少なくとも２つのアクセスポイント内で端末が接続すべきアクセスポイントを決定するために端末により使用される基礎は、前述の伝送条件の１つ又は複数が満たされることである。
【００４４】
現在接続されているアクセスポイントに関連付けられている少なくとも１つのアクセスポイントが、現在接続されているアクセスポイントの名前と部分的に同じ名前を有することは、現在接続されているアクセスポイントに関連付けられている少なくとも１つのアクセスポイントが、現在接続されているアクセスポイントの名前のプリフィックスと同じプリフィックスがつけられた名前を有することを含む。例えば、xxx_5Gとxxx_24Gは関連付けられたアクセスポイントであり、この２つのアクセスポイントの名前の同じ部分xxx_は、２つのアクセスポイントの名前のプリフィックスである。当然、アクセスポイントの名前が部分的に同じであるということは、２つのアクセスポイントの名前のサフィックスが同じであること、又は２つのアクセスポイントの名前の任意の部分が同じであること、を意味してもよい。
【００４５】
前述のシステム、装置、およびユニットの詳細な作業プロセスについて、簡潔かつ簡単な説明のために、前述の方法の実施形態における対応するプロセスを参照し、詳細はここでは説明しないことは、当業者であれば、明確に理解し得る。
【００４６】
本発明の実施形態における機能ユニットは、１つの処理ユニットに統合されてもよいし、各ユニットが物理的に単独で存在してもよいし、又は２つ以上のユニットが１つのユニットに統合されてもよい。統合ユニットは、ハードウェアの形態で実装されてもよく、又はソフトウェア機能ユニットに加えてハードウェアの形態で実装されてもよい。
【００４７】
当業者であれば、方法の実施形態のステップのすべてまたは一部が、関連するハードウェアを指示するプログラムによって実施され得ることを理解することができる。プログラムは、コンピュータ可読記憶媒体に格納されてもよい。プログラムが実行されると、方法の実施形態のステップが実行される。上記記憶媒体には、ROM、RAM、磁気ディスク、又は光ディスクなどのプログラムコードを格納可能なあらゆる媒体が含まれる。
【００４８】
この説明は、本発明の特定の実施形態にすぎず、本発明の保護範囲を限定するものではない。本発明に開示された技術的範囲内において当業者が容易に想到できるいかなる変更又は置換も、本発明の保護範囲内に入るものである。したがって、本発明の保護範囲は、特許請求の範囲の保護範囲に属するものとする。
【符号の説明】
【００４９】
２０１  通信インターフェース
２０２  プロセッサ
【図１】
2018533886.tif 000003
【図２】
2018533886.tif 000004
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
アクセスポイントハンドオーバ方法であって、前記方法は、
現在接続されているアクセスポイントが伝送条件を満たすことができないことを、端末が検知するステップと、
前記現在接続されているアクセスポイントに関連付けられたアクセスポイントに、前記伝送条件を満たす少なくとも１つのアクセスポイントが存在することを、前記端末が見つけるステップと、
前記伝送条件を満たす少なくとも１つのアクセスポイントのうちの１つへの接続を、前記端末が確立するステップと、
を具備することを特徴とするアクセスポイントハンドオーバ方法。
【請求項２】
前記伝送条件は、以下：
前記端末により受信された信号の強度が、第１しきい値より大きいこと、
前記端末が、受信されたデータのパケットロス率が第２しきい値より小さいことを検出すること、
前記端末により伝送されたデータの往復遅延が、第３しきい値より小さいこと、又は
前記端末のダウンロード速度又はアップロード速度が、第４しきい値より小さいこと、
の内の少なくとも１つを具備することを特徴とする請求項１に記載の方法。
【請求項３】
前記伝送条件を満たす１つのアクセスポイントが存在する場合、前記伝送条件を満たす少なくとも１つのアクセスポイントのうちの１つへの接続を、前記端末が確立する前記ステップの前に、前記方法は、
前記端末により、前記現在接続されているアクセスポイントの接続を切断するステップ
をさらに具備することを特徴とする請求項１又は２に記載の方法。
【請求項４】
前記伝送条件を満たす少なくとも２つのアクセスポイントが存在する場合、前記伝送条件を満たす少なくとも１つのアクセスポイントのうちの１つへの接続を、前記端末が確立する前記ステップの後に、前記方法は、
前記端末により、前記現在接続されているアクセスポイントの接続を切断するステップ
をさらに具備することを特徴とする請求項１又は２に記載の方法。
【請求項５】
前記現在接続されているアクセスポイントに関連する前記アクセスポイントは、前記現在接続されているアクセスポイントと部分的に同じ名前を有するアクセスポイントであることを特徴とする請求項１から４のいずれか一項に記載の方法。
【請求項６】
端末であって、前記端末は、
アクセスポイントと通信するように構成されている通信インターフェースと、
現在接続されているアクセスポイントが伝送条件を満たすことができないことを検知し、前記現在接続されているアクセスポイントに関連付けられたアクセスポイントに、前記伝送条件を満たす少なくとも１つのアクセスポイントが存在することを見つけ、前記伝送条件を満たす少なくとも１つのアクセスポイントのうちの１つへの接続を確立するように構成されているプロセッサと、
を具備することを特徴とする端末。
【請求項７】
前記伝送条件は、以下：
前記端末により受信された信号の強度が、第１しきい値より大きいこと、
前記端末が、受信されたデータのパケットロス率が第２しきい値より小さいことを検出すること、
前記端末により伝送されたデータの往復遅延が、第３しきい値より小さいこと、
前記端末のダウンロード速度又はアップロード速度が、第４しきい値より小さいこと、
の内の少なくとも１つを具備することを特徴とする請求項６に記載の端末。
【請求項８】
前記伝送条件を満たす１つのアクセスポイントが存在する場合、前記プロセッサが、前記伝送条件を満たす少なくとも１つのアクセスポイントのうちの１つへの前記接続を確立する前に、前記プロセッサは、前記現在接続されているアクセスポイントの接続を切断するようにさらに構成されていることを特徴とする請求項６又は７に記載の端末。
【請求項９】
前記伝送条件を満たす少なくとも２つのアクセスポイントが存在する場合、前記プロセッサが、前記伝送条件を満たす少なくとも１つのアクセスポイントのうちの１つへの前記接続を確立した後に、以下の：
前記プロセッサは、前記現在接続されているアクセスポイントの接続を切断すること
をさらに具備することを特徴とする請求項６又は７に記載の端末。
【請求項１０】
前記現在接続されているアクセスポイントに関連する前記アクセスポイントは、前記現在接続されているアクセスポイントと部分的に同じ名前を有するアクセスポイントであることを特徴とする請求項６から９のいずれか一項に記載の端末。
【請求項１１】
コンピュータに、請求項１から５のいずれか一項の方法を実行させるプログラム。
【国際調査報告】
2018533886.tif 000005
2018533886.tif 000006
2018533886.tif 000007
2018533886.tif 000008